(57)【特許請求の範囲】
【請求項１】
着信があったことを同報的に通知するために基地局から送信されるページングチャネルを受信した時に接続セルを検出するためのセルサーチを行うセルラ電話装置であって、
予め３つに分類されたサーチすべきセル各々に対するサーチを前記ページングチャネルの受信タイミングにおいてそれぞれ頻度を変えて行うよう制御する手段を有し、
前記サーチすべきセルは、前記ページングチャネルを受信している第１のセルと、ハンドオーバ先の候補となる第２のセルと、周辺に存在する候補であるが検出されていない第３のセルとの３つに分類され、
前記３つに分類されたセルの検出のタイミングが排他的であることを特徴とするセルラ電話装置。
【請求項２】
前記第１〜第３のセル各々のサーチ頻度を個別に設定自在としたことを特徴とする請求項１記載のセルラ電話装置。
【請求項３】
前記３つに分類されたサーチすべきセル各々のサーチ頻度が前記第１のセル＞前記第２のセル＞前記第３のセルとなるようにしたことを特徴とする請求項１または請求項２記載のセルラ電話装置。
【請求項４】
前記第１のセルのサーチを前記ページングチャネルの受信タイミング毎に行うようにしたことを特徴とする請求項１から請求項３のいずれか記載のセルラ電話装置。
【請求項５】
前記第１のセルのサーチを前記第２及び第３のセルのサーチが行われない時に行うようにしたことを特徴とする請求項１から請求項３のいずれか記載のセルラ電話装置。
【請求項６】
着信があったことを同報的に通知するために基地局から送信されるページングチャネルを受信した時に接続セルを検出するためのセルサーチを行うセルラ電話装置のセルサーチ方法であって、
予め３つに分類されたサーチすべきセル各々に対するサーチを前記ページングチャネルの受信タイミングにおいてそれぞれ頻度を変えて行うステップを有し、
前記サーチすべきセルは、前記ページングチャネルを受信している第１のセルと、ハンドオーバ先の候補となる第２のセルと、周辺に存在する候補であるが検出されていない第３のセルとの３つに分類され、
前記３つに分類されたセルの検出のタイミングが排他的であることを特徴とするセルサーチ方法。
【請求項７】
前記第１〜第３のセル各々のサーチ頻度を個別に設定自在としたことを特徴とする請求項６記載のセルサーチ方法。
【請求項８】
前記３つに分類されたサーチすべきセル各々のサーチ頻度が前記第１のセル＞前記第２のセル＞前記第３のセルとなるようにしたことを特徴とする請求項６または請求項７記載のセルサーチ方法。
【請求項９】
前記第１のセルのサーチを前記ページングチャネルの受信タイミング毎に行うようにしたことを特徴とする請求項６から請求項８のいずれか記載のセルサーチ方法。
【請求項１０】
前記第１のセルのサーチを前記第２及び第３のセルのサーチが行われない時に行うようにしたことを特徴とする請求項６から請求項８のいずれか記載のセルサーチ方法。
【発明の詳細な説明】
【０００１】
【発明の属する技術分野】
本発明はセルラ電話装置及びそれに用いるセルサーチ方法に関し、特にＣＤＭＡ（Ｃｏｄｅ  Ｄｉｖｉｓｉｏｎ  Ｍｕｌｔｉｐｌｅ  Ａｃｃｅｓｓ：符号分割多元接続）方式のセルラ電話装置におけるセルサーチ方法に関する。
【０００２】
【従来の技術】
従来、ＣＤＭＡ方式においては、自動車電話や携帯電話等のセルラシステムで、同一の周波数帯域にて複数の移動局が同時に通信を行う際の多元アクセス技術の一つである。この場合、ＣＤＭＡ方式では情報信号のスペクトラムを、本来の情報帯域幅に比べて十分に広い帯域に拡散して伝送を行うスペクトラム拡散通信によって多元接続を行っている。
【０００３】
セルラシステムにおいて、ＣＤＭＡ方式では移動局がセル間をわたる移動を行った場合、ハンドオーバとして、移動元のセルの基地局からの信号と移動先のセルの基地局からの信号とを合成するソフトハンドオーバを実行する。このハンドオーバを実行するために、移動局は移動先のセルの基地局を探し出すセルサーチ、つまり接続セルを検出するセルサーチを行う。
【０００４】
また、ＣＤＭＡ方式では移動局に対して着信があった場合、その旨を基地局から移動局に通知する必要があり、基地局は移動局が位置登録している位置登録エリア内の全ての移動局に対して着信があったことを同報的に通知する。この手順はページングと呼ばれている。
【０００５】
移動局は待ち受け状態の場合、呼び出し用のチャネル（ページングチャネル）を常に監視しているため、自局に対するページングを認識することが可能である。その場合、移動局はページングの情報と自局に保持している情報とを比較し、それらが一致すると、応答を基地局に送る。
【０００６】
上記のようなＣＤＭＡ方式のセルラ電話装置のセルサーチ動作では、待ち受け中にあるセルラ電話装置において、「以前のセルサーチにおいて検出することができたセル」及び「周辺に存在する候補のセル」の２つに分類し、ページングチャネルの受信タイミングでまとめてサーチしている。
【０００７】
【発明が解決しようとする課題】
しかしながら、上述した従来のセルラ電話装置のセルサーチ動作では、ページングチャネルの受信タイミング毎に「以前のセルサーチにおいて検出することができたセル」及び「周辺に存在する候補のセル」の２つをまとめてサーチしているので、サーチ能力は高いが、サーチ時間がかかってしまうこととなり、消費電流が大きくなるという問題がある。
【０００８】
また、サーチ時間を短縮するためにサーチ能力を落とす場合、「以前のセルサーチにおいて検出することができたセル」及び「周辺に存在する候補のセル」の２つを分けてサーチする方法しか存在していないため、サーチ能力とサーチ時間との柔軟な調整を行うことができないという問題がある。
【０００９】
この場合、「以前のセルサーチにおいて検出することができたセル」を分割してサーチする方法も考えられるが、ページングチャネルを受信しているセルのサーチ頻度が落ちるという問題もある。
【００１０】
そこで、本発明の目的は上記の問題点を解消し、セルのサーチ能力とサーチ時間を容易に調節でき、高いサーチ頻度のセルのサーチおいても頻度を落とすことなく分割してサーチを行うことができるセルラ電話装置及びそれに用いるセルサーチ方法を提供することにある。
【００１１】
【課題を解決するための手段】
本発明によるセルラ電話装置は、着信があったことを同報的に通知するために基地局から送信されるページングチャネルを受信した時に接続セルを検出するためのセルサーチを行うセルラ電話装置であって、
予め３つに分類されたサーチすべきセル各々に対するサーチを前記ページングチャネルの受信タイミングにおいてそれぞれ頻度を変えて行うよう制御する手段を備え、
前記サーチすべきセルは、前記ページングチャネルを受信している第１のセルと、ハンドオーバ先の候補となる第２のセルと、周辺に存在する候補であるが検出されていない第３のセルとの３つに分類され、
前記３つに分類されたセルの検出のタイミングが排他的であることを特徴とする。
【００１２】
本発明によるセルサーチ方法は、着信があったことを同報的に通知するために基地局から送信されるページングチャネルを受信した時に接続セルを検出するためのセルサーチを行うセルラ電話装置のセルサーチ方法であって、
予め３つに分類されたサーチすべきセル各々に対するサーチを前記ページングチャネルの受信タイミングにおいてそれぞれ頻度を変えて行うステップを備え、
前記サーチすべきセルは、前記ページングチャネルを受信している第１のセルと、ハンドオーバ先の候補となる第２のセルと、周辺に存在する候補であるが検出されていない第３のセルとの３つに分類され、
前記３つに分類されたセルの検出のタイミングが排他的であることを特徴とする。
【００１３】
すなわち、本発明のセルラ電話装置は、着信待ち受け中にある場合、ページングチャネルを受信中のセル、ハンドオーバ先の候補となるセル、周辺に存在する候補であるが検出されていないセルの３つに分類し、ページングチャネルを間欠受信するタイミングでサーチするセルを３つの分類で頻度をかえてサーチすることで、セルサーチの検出能力及び動作時間の調節を容易にしたことを特徴としている。
【００１４】
より具体的に説明すると、本発明のＣＤＭＡシステムでは、ＣＤＭＡ方式のセルラ電話装置（以下、移動機とする）がセルＡにある場合、待ち受け中、電界レベルの強いセルＡのページングチャネルを受信している。
【００１５】
移動機ではセルＡに隣接するセルＢ〜Ｇからの電波も受信することができるため、セルサーチ動作において、セルＡ〜Ｇの無線フレームタイミングを検出して保存しておき、その無線フレームタイミングを利用して、受信レベル測定を短時間で行うことが可能となる。
【００１６】
また、移動機ではセルＨの電波を受信することができないため、サーチ動作を行っても検出することができない。しかしながら、周辺セルの候補の一つとして、セルＨの拡散コードが与えられている場合、移動機はセルＨの検出を行わなければならない。
【００１７】
未検出セルの検出においては無線フレームタイミングが未知のため、無線スロットタイミング同定、無線フレームタイミング同定、拡散コード同定を行わなければならず、検出に時間がかかる。また、どのセルが検出されるかがわからないため、一定数のサーチを行わなければならない。
【００１８】
上記の状態において、セルＡ〜Ｈを「ページングチャネルを受信しているセル（以下、アクティブセルとする）」（セルＡ）、「ハンドオーバ先の候補となるセル（以下、モニタセルとする）」（セルＢ〜Ｇ）、「周辺に存在する候補であるが検出されていないセル（以下、未検出セルとする）」（セルＨ）の３つに分類する。
【００１９】
アクティブセルにおいては移動機が移動することによる受信レベルの劣化を即座に感知し、ハンドオーバしなければならないため、受信レベルを随時測定して監視する必要がある。
【００２０】
また、モニタセルに関しても、移動機が移動すればハンドオーバを行い、ページングチャネルを受信しなければならないため、受信レベルの測定、無線フレームタイミングの更新を随時行う必要がある。
【００２１】
未検出セルは検出間隔に即時性を求められていないが、移動機が移動して行くにつれ、ハンドオーバしなければならなくなる場合があるので、ある程度の頻度で検出を行わなければならない。
【００２２】
移動機が待ち受け中にある場合、ページングチャネルを間欠受信しており、ページングチャネルの受信タイミングでセルのサーチを行う。その受信タイミングで、アクティブセルを毎回サーチして受信レベルの測定を行う。モニタセルについてはセル数が複数あることから、ページングチャネルの受信タイミングが複数回くる毎に１回の頻度でサーチを行い、受信レベルの測定、無線フレームタイミングの更新を行う。サーチに時間のかかる未検出セルに対しては、さらに低い頻度でサーチを行うようにする。
【００２３】
上記のように、本発明では、サーチすべきセルを３つに分類し、ページングチャネルの受信タイミングでサーチすべきセル数を制御することによって、サーチに時間のかからないアクティブセル及びモニタセルのサーチ頻度、サーチに時間のかかる未検出セルのサーチ頻度を調節することができるようにし、セルの検出能力及び検出時間の調節を容易にする。
【００２４】
【発明の実施の形態】
次に、本発明の実施の形態について図面を参照して説明する。図１は本発明の実施の形態を説明するためのシステム構成を示す図である。図１において、ＣＤＭＡ方式のセルラ電話装置（以下、移動機とする）１はセルＡにあって待ち受け中で、電界レベルの強いセルＡのページングチャネルを受信しているものとする。ここで、ページングチャネルは図示せぬ基地局からそのセルＡ内の全ての移動機に対して着信があったことを同報的に通知するためのものである。
【００２５】
移動機１ではセルＡに隣接するセルＢ〜Ｇからの電波も受信することができるため、セルサーチ動作において、セルＡ〜Ｇの無線フレームタイミングを検出して保存しておき、その無線フレームタイミングを利用して、受信レベル測定を短時間で行うことが可能となる。
【００２６】
また、移動機１ではセルＨの電波を受信することができないため、サーチ動作を行っても検出することができない。しかしながら、周辺セルの候補の一つとして、セルＨの拡散コードが与えられている場合、移動機１はセルＨの検出を行わなければならない。
【００２７】
未検出セルの検出においては無線フレームタイミングが未知のため、無線スロットタイミング同定、無線フレームタイミング同定、拡散コード同定を行わなければならず、その検出に時間がかかる。また、どのセルが検出されるかがわからないため、一定数のサーチを行わなければならない。
【００２８】
上記の状態において、セルＡ〜Ｈを「ページングチャネルを受信しているセル（以下、アクティブセルとする）」（セルＡ）、「ハンドオーバ先の候補となるセル（以下、モニタセルとする）」（セルＢ〜Ｇ）、「周辺に存在する候補であるが検出されていないセル（以下、未検出セルとする）」（セルＨ）の３つに分類する。
【００２９】
アクティブセルにおいては移動機１が移動することによる受信レベルの劣化を即座に感知し、ハンドオーバしなければならないため、受信レベルを随時測定し、監視する必要がある。
【００３０】
また、モニタセルにおいても、移動機１が移動すればハンドオーバを行い、ページングチャネルを受信しなければならないため、受信レベルの測定、無線フレームタイミングの更新を随時行う必要がある。
【００３１】
未検出セルは検出間隔に即時性を求められていないが、移動機１が移動して行くにつれ、ハンドオーバしなければならなくなる場合があるので、ある程度の頻度で検出を行わなければならない。
【００３２】
移動機１では待ち受け中にある場合、ページングチャネルを間欠受信しており、ページングチャネルの受信タイミングでセルのサーチを行う。移動機１はその受信タイミングで、アクティブセルを毎回サーチし、受信レベルの測定を行う。
【００３３】
モニタセルについてはセル数が複数あることから、移動機１によってページングチャネルの受信タイミングが複数回訪れる毎に１回の頻度でサーチを行い、受信レベルの測定、無線フレームタイミングの更新を行う。サーチに時間のかかる未検出セルについては、さらに低い頻度で移動機１によってサーチを行うようにする。
【００３４】
このようにして、本発明ではサーチすべきセルをアクティブセルとモニタセルと未検出セルとの３つに分類し、移動機１でのページングチャネルの受信タイミングでサーチすべきセル数を制御することによって、サーチに時間のかからないアクティブセルやモニタセルのサーチ頻度、サーチに時間のかかる未検出セルのサーチ頻度をそれぞれ調節することができるようにし、セルの検出能力及び検出時間の調節を容易にする。
【００３５】
図２は本発明の一実施例による移動機１の構成を示すブロック図である。図２において、移動機１はプログラム制御によって動作し、アンテナ１１と、無線部１２と、受信部１３と、セルサーチ部１４と、プロセッサ１５と、メモリ１６と、記憶媒体１７とから構成されている。
【００３６】
無線部１２はアンテナ１１を介して送受信する無線信号を変復調する部分である。受信部１３は無線部１２で復調された受信データに対し、直交符号逆拡散、パワー測定、無線フレームの連結、誤り訂正デコードを行う部分である。また、受信部１３はセルサーチ部１４に対して無線フレームタイミングを生成して供給する部分でもある。
【００３７】
セルサーチ部１４は無線部１２で復調された共通パイロットチャネルを直交符号逆拡散し、パワー測定を行う部分である。また、セルサーチ部１４はパワー測定の結果を基にセル毎の無線スロットタイミング、無線フレームタイミング、拡散コードを検出する部分である。
【００３８】
プロセッサ１５は記憶媒体１７からプログラムを取出し、そのプログラムを実行する。メモリ１６はプロセッサ１５からの情報を格納する。記憶媒体１７はプロセッサ１５が実行するプログラムが格納されている。
【００３９】
図３〜図５は本発明の一実施例による移動機１の動作を示すフローチャートである。これら図２〜図５を参照して本発明の一実施例による移動機１の動作について説明する。
【００４０】
移動機１が着信待ち受け中の状態にある場合、プロセッサ１５はページングチャネルを受信するタイミングで、図３〜図５に示す動作を行う。この場合、プロセッサ１５は記憶媒体１７からプログラムを読込んで実行することで、図３〜図５に示す処理を実現する。
【００４１】
まず、移動機１ではページングチャネルを受信しているアクティブセルのサーチを行うか否かの判断を行う（図３ステップＳ１）。移動機１はアクティブセルのサーチを行うタイミングの場合、受信レベル測定へ遷移し、受信レベルの測定を行う（図３ステップＳ２）。この場合、移動機１はセルサーチ部１４が測定した受信レベルをメモリ１６に格納し、アクティブセルの受信レベルを更新する。
【００４２】
移動機１はアクティブセルのサーチを行わないタイミングの場合、次のステップＳ３へ遷移し、ハンドオーバ先の候補セルであるモニタセルのサーチを行うか否かの判断を行う（図３ステップＳ３）。移動機１はモニタセルのサーチを行うタイミングの場合、モニタセルのサーチを行う（図３ステップ４）。
【００４３】
また、移動機１はモニタセルのサーチを行わないタイミングの場合、ステップＳ５へ遷移し、周辺に存在する候補セルである未検出セルのサーチを行うか否かの判断を行う（図３ステップＳ５）。
【００４４】
移動機１は未検出セルのサーチを行うタイミングの場合、未検出セルのサーチを行い（図３ステップＳ６）、セルサーチ動作を終了する。また、移動機１は未検出セルのサーチを行わないタイミングの場合、そのままセルサーチ動作を終了する。
【００４５】
モニタセルのサーチの場合には、図４を参照すると、移動機１がステップＳ１１〜ステップＳ１７のループを、ページングチャネルの受信タイミングでモニタセルのサーチを行う最大数分ループする（図４ステップＳ１１）。
【００４６】
まず、移動機１はサーチ対象のセルの受信タイミングの測定及び無線タイミングの測定を行う（図４ステップＳ１２）。続いて、移動機１は測定した受信レベルとハンドオーバ先の候補セルの受信レベル閾値とを比較し（図４ステップＳ１３）、測定した受信レベルが閾値を上回っていれば、測定した受信レベルと無線タイミングとをメモリ１６に格納し、サーチ対象セルの受信レベルと無線タイミングとを更新する（図４ステップＳ１４）。その後、移動機１はサーチ対象セルを切替えて次のループへ進む（図４ステップＳ１７）。
【００４７】
移動機１は測定した受信レベルが閾値を下回っている場合、メモリ１６に格納されているサーチ対象セルの拡散コード、受信レベル、及び無線タイミングを消去する（図４ステップＳ１５）。その後、移動機１はサーチ対象セルの分類をモニタセルから未検出セルに変更し（図４ステップＳ１６）、ステップＳ１７へ遷移する。
【００４８】
未検出セルのサーチの場合には、図５を参照すると、移動機１がステップＳ２１〜ステップＳ２６のループを、ページングチャネルの受信タイミングで未検出セルのサーチを行う回数分ループする（図５ステップＳ２１）。
【００４９】
まず、移動機１は未検出セルのサーチを行う（図５ステップＳ２２）。移動機１はサーチ結果を判定し（図５ステップＳ２３）、周辺に存在する候補のセルの検出に成功した場合、サーチすることができたセルの拡散コード、受信レベル、無線タイミングをメモリ１６に格納する（図５ステップＳ２４）。その後、移動機１はサーチすることができたセルをモニタセルに追加し（図５ステップＳ２５）、上記の処理のループを繰り返し行う（図５ステップＳ２６）。
【００５０】
また、移動機１はセルを検出することができなかった場合、ステップＳ２６へ遷移し、上記の処理のループを繰り返し行う。
【００５１】
次に、本発明の一実施例による移動機１の動作について具体例を用いて説明する。まず、図１においてセルＡにある移動機１はセルＡに隣接しているセルＢ〜Ｇの電波を受信することができ、すでにセルサーチ動作においてセルＡ〜Ｇを検出しており、メモリ１６に各セルの拡散コードと無線タイミングとを格納している状態にあるものとする。また、移動機１はセルＨの電波を受信することができない状態にあるものとする。
【００５２】
着信待ち受け中の状態にある移動機１において、プロセッサ１５はページングチャネルを受信するタイミングで、セルサーチ動作を行う。本実施例では、ページングチャネルを受信しているセルであるアクティブセル（セルＡ）と、ハンドオーバ先の候補セルであるモニタセル（セルＢ〜Ｇ）と、周辺に存在する候補セルである未検出セル（セルＨ）との３つのサーチ頻度を、ページングチャネルを受信するタイミングで、アクティブセルは毎回サーチを行い、モニタセルは２回に１回サーチを行い、未検出セルは８回に１回サーチを行うようにしている。また、ページングチャネルを受信するタイミングでモニタセルをサーチする最大数を２セルとし、未検出セルのサーチを行う回数を４回とする。
【００５３】
ページングチャネルの受信タイミングにおいて、プロセッサ１５は図３〜図５に示す処理動作を行う。すなわち、まず、移動機１はアクティブセルのサーチを行うか否かの判断を行う（図３ステップＳ１）。
【００５４】
本実施例では、ページングチャネルの受信タイミングでアクティブセルの検出を毎回行うようにしているので、受信レベル測定へ遷移し、受信レベルの測定を行う（図３ステップＳ２）。移動機１は測定した受信レベルをメモリ１６に格納し、アクティブセルの受信レベルを更新する。
【００５５】
次に、移動機１はモニタセルのサーチを行うか否かの判断を行う（図３ステップＳ３）。本実施例ではページングチャネルの受信タイミングでモニタセルの検出を２回に１回行うようにしているので、ページングチャネルの受信タイミング１つおきに、モニタセルのサーチを行う（図３ステップＳ４）。また、移動機１はモニタセルのサーチを行わないタイミングの場合、ステップＳ５へ遷移する。
【００５６】
続いて、移動機１は未検出セルのサーチを行うか否かの判断を行う（図３ステップＳ５）。本実施例では、ページングチャネルの受信タイミングでモニタセルの検出を８回に１回行うようにしているので、移動機１はページングチャネルの受信タイミング７つおきに、未検出セルのサーチを行う（図３ステップＳ６）。
また、移動機１は未検出セルのサーチを行わないタイミングの場合、セルサーチ動作を終了する。
【００５７】
モニタセルのサーチ動作は、図４を参照すると、移動機１がステップＳ１１〜ステップＳ１７のループをページングチャネルの受信タイミングで、モニタセルのサーチを行う最大数分ループする。
【００５８】
本実施例では最大数を２セルとしているため、ステップＳ１１〜ステップＳ１７のループを２回ループする。本実施例ではモニタセルが６セル存在するので、３つに分けてサーチを行う必要がある。
【００５９】
移動機１はページングチャネルの受信タイミング２回に１回の頻度でモニタセルの検出を行うため、６セル分のサーチを完了するのに、ページングチャネルの受信タイミングで６回分の時間がかかることになる。
【００６０】
未検出セルのサーチ動作は、図５を参照すると、移動機１がステップＳ２１〜ステップＳ２６のループをページングチャネルの受信タイミングで未検出セルのサーチを行う回数分ループする。
【００６１】
本実施例では未検出セルのサーチ回数を４回としているので、ステップＳ２１〜ステップＳ２６のループを４回ループする。このタイミングでサーチすることができるセルの最小数は０であり、最大数は４である。
【００６２】
図６は本発明の一実施例による移動機１のセルサーチ動作を示すタイミングチャートである。この図６を参照して本発明の一実施例による移動機１のセルサーチ動作全体について説明する。
【００６３】
図６において、サーチ動作１０１〜１１０はアクティブセルのサーチである。
このアクティブセルのサーチではページングチャネルの受信タイミング毎に受信レベルの測定が行われる。
【００６４】
また、サーチ動作１１１〜１１５はモニタセルのサーチである。このモニタセルのサーチではページングチャネルの受信タイミング２回に１回、受信レベルの測定、無線タイミングの測定が行われる。
【００６５】
さらに、サーチ動作１１６，１１７は未検出セルのサーチである。この未検出セルのサーチではページングチャネルの受信タイミング８回に１回、セルのサーチが行われる。
【００６６】
このように、セルＡ〜Ｈを「ページングチャネルを受信しているセル」であるアクティブセル（セルＡ）と、「ハンドオーバ先の候補セル」であるモニタセル（セルＢ〜Ｇ）と、「周辺に存在する候補セル」である未検出セル（セルＨ）とに分類し、それぞれのセルのサーチ頻度を決定することによって、サーチ能力及びサーチ時間を柔軟に調節することができるので、ページングチャネルの受信タイミングにおいて、セルのサーチ能力及びサーチ時間を容易に調節することができる。
【００６７】
また、上記のようにセルＡ〜Ｈを分類し、分類毎にサーチ頻度を調節することができるため、高い頻度でサーチしなければいけないセルのサーチを頻繁に行うように調節することができるので、ページングチャネルの受信中のセル等の高いサーチ頻度のセルのサーチおいても、頻度を落とすことなく分割してサーチを行うことができる。
【００６８】
図７は本発明の他の実施例による移動機の動作を示すフローチャートである。
本発明の他の実施例による移動機の構成は図２に示す本発明の一実施例による移動機１の構成と同様であり、また本発明の他の実施例のシステム構成は図１に示す本発明の実施の形態のシステム構成と同様であるので、それらの説明については省略する。
【００６９】
本発明の一実施例では、図３に示すように、セルサーチ動作において、「ページングチャネルを受信しているセル」であるアクティブセル（セルＡ）、「ハンドオーバ先の候補セル」であるモニタセル（セルＢ〜Ｇ）、「周辺に存在する候補セル」である未検出セル（セルＨ）のサーチ開始判定を、ページングチャネルの受信タイミングで全て行っているため、３分類のセルを同時に検出することがありうる。しかしながら、１回のページングチャネルの受信タイミングあたりのセルサーチ時間を短くするために、３分類のセルの検出を排他的に行う方法もある。本発明の他の実施例では３分類のセルの検出を排他的に行っている。
【００７０】
以下、図１と図２と図４と図５と図７とを参照して、本発明の他の実施例の全体の動作について説明する。
【００７１】
着信待ち受け中の状態にある移動機１において、ページングチャネルを受信するタイミングで、プロセッサ１５は図４と図５と図７とにそれぞれ示す処理動作を行う。
【００７２】
まず、移動機１は「ハンドオーバ先の候補セル」であるモニタセルのサーチを行うか否かの判断を行う（図７ステップＳ３１）。移動機１はモニタセルのサーチを行うタイミングの場合、モニタセルのサーチを行い（図７ステップＳ３２）、セルサーチ動作を終了する。
【００７３】
移動機１はモニタセルのサーチを行わないタイミングの場合、ステップＳ３３へ遷移し、「周辺に存在する候補セル」である未検出セルのサーチを行うか否かの判断を行う（図７ステップＳ３３）。移動機１は未検出セルのサーチを行うタイミングの場合、未検出セルのサーチを行い（図７ステップＳ３４）、セルサーチ動作を終了する。
【００７４】
移動機１は未検出セルのサーチを行わないタイミングの場合、ステップＳ３５へ遷移し、「ページングチャネルを受信しているセル」であるアクティブセルのサーチを行い、セルサーチ動作を終了する。この場合、移動機１は受信レベル測定へ遷移し、受信レベルの測定を行う（図７ステップＳ３５）。
【００７５】
モニタセルのサーチは、図４を参照すると、本発明の一実施例の処理動作と同様であり、未検出セルのサーチは、図５を参照すると、本発明の一実施例の処理動作と同様である。
【００７６】
次に、本発明の他の実施例による移動機１の動作について具体例を用いて説明する。まず、図１においてセルＡにある移動機１はセルＡに隣接しているセルＢ〜Ｇの電波を受信することができ、すでにセルサーチ動作においてセルＡ〜Ｇを検出しており、メモリ１６に各セルの拡散コードと無線タイミングとを格納している状態にあるものとする。また、移動機１はセルＨの電波を受信することができない状態にあるものとする。
【００７７】
着信待ち受け中の状態にある移動機１において、プロセッサ１５はページングチャネルを受信するタイミングで、セルサーチ動作を行う。本実施例では、アクティブセル（セルＡ）、モニタセル（セルＢ〜Ｇ）、未検出セル（セルＨ）の３つのサーチ頻度を、ページングチャネルを受信するタイミングで、モニタセルは２回に１回サーチを行い、未検出セルは８回に１回サーチを行い、アクティブセルは左記２分類のセルのサーチを行わない場合にサーチを行うようにしている。
【００７８】
また、モニタセルのサーチと未検出セルのサーチとが同じタイミングになった場合には、モニタセルのサーチが優先されるものとする。さらに、ページングチャネルを受信するタイミングでモニタセルをサーチする最大数を２セルとし、未検出セルのサーチを行う回数を４回とする。
【００７９】
ページングチャネルの受信タイミングにおいて、プロセッサ１５は図４と図５と図７とにそれぞれ示す処理動作を行う。すなわち、まず、移動機１はモニタセルのサーチを行うか否かの判断を行う（図７ステップＳ３１）。本実施例では、ページングチャネルの受信タイミングでモニタセルの検出を２回に１回行うようにしているので、移動機１はページングチャネルの受信タイミング１つおきに、モニタセルのサーチを行い（図７ステップＳ３２）、セルサーチ動作を終了する。
【００８０】
また、移動機１はモニタセルのサーチを行わないタイミングの場合、ステップＳ３３へ遷移し、未検出セルのサーチを行うか否かの判断を行う（図７ステップＳ３３）。本実施例では、ページングチャネルの受信タイミングでモニタセルの検出を８回に１回行うようにしているので、移動機１はページングチャネルの受信タイミング７つおきに、未検出セルのサーチを行い（図７ステップＳ３４）、セルサーチ動作を終了する。
【００８１】
さらに、移動機１は未検出セルのサーチを行わないタイミングの場合、アクティブセルのサーチを行う（図７ステップＳ３５）。
【００８２】
モニタセルのサーチ動作は、図４を参照すると、移動機１がステップＳ１１〜ステップＳ１７のループをページングチャネルの受信タイミングでモニタセルのサーチを行う最大数分ループする。
【００８３】
本実施例では、モニタセルのサーチを行う最大数を２セルとしているため、ステップＳ１１〜ステップＳ１７のループを２回ループする。本実施例では、モニタセルが６セル存在するので、３つに分けてサーチを行う必要がある。
【００８４】
移動機１はページングチャネルの受信タイミング２回に１回の頻度でモニタセルの検出を行うため、６セル分のサーチを完了するのに、ページングチャネルの受信タイミングで６回分の時間がかかることになる。
【００８５】
未検出セルのサーチ動作は、図５を参照すると、移動機１がステップＳ２１〜ステップＳ２６のループをページングチャネルの受信タイミングで未検出セルのサーチを行う回数分ループする。本実施例では、未検出セルのサーチ回数を４回としているので、ステップＳ２１〜ステップＳ２６のループを４回ループする。
【００８６】
図８は本発明の他の実施例による移動機１のセルサーチ動作を示すタイミングチャートである。この図８を参照して本発明の他の実施例による移動機１のセルサーチ動作全体について説明する。
【００８７】
図８において、サーチ動作２０１〜２０３はアクティブセルのサーチである。
このアクティブセルのサーチではページングチャネルの受信タイミングで、モニタセル及び未検出セルのサーチを行わない時に受信レベルの測定が行われる。
【００８８】
また、サーチ動作２０４〜２０８はモニタセルのサーチである。このモニタセルのサーチではページングチャネルの受信タイミング２回に１回、受信レベルの測定、無線タイミングの測定が行われる。
【００８９】
さらに、サーチ動作２０９，２１０は未検出セルのサーチである。この未検出セルのサーチではページングチャネルの受信タイミング８回に１回、セルのサーチが行われる。
【００９０】
【発明の効果】
以上説明したように本発明は、着信があったことを同報的に通知するために基地局から送信されるページングチャネルを受信した時に接続セルを検出するためのセルサーチを行うセルラ電話装置において、予め３つに分類されたサーチすべきセル各々に対するサーチをページングチャネルの受信タイミングにおいてそれぞれ頻度を変えて行うことによって、セルのサーチ能力とサーチ時間を容易に調節でき、高いサーチ頻度のセルのサーチおいても頻度を落とすことなく分割してサーチを行うことができるという効果が得られる。
【図面の簡単な説明】
【図１】本発明の実施の形態を説明するためのＣＤＭＡシステムの構成を示す図である。
【図２】本発明の一実施例による移動機の構成を示すブロック図である。
【図３】本発明の一実施例による移動機の動作を示すフローチャートである。
【図４】本発明の一実施例による移動機の動作を示すフローチャートである。
【図５】本発明の一実施例による移動機の動作を示すフローチャートである。
【図６】本発明の一実施例による移動機のセルサーチ動作を示すタイミングチャートである。
【図７】本発明の他の実施例による移動機の動作を示すフローチャートである。
【図８】本発明の他の実施例による移動機のセルサーチ動作を示すタイミングチャートである。
【符号の説明】
１  ＣＤＭＡ方式のセルラ電話装置
１１  アンテナ
１２  無線部
１３  受信部
１４  セルサーチ部
１５  プロセッサ
１６  メモリ
１７  記憶媒体
Ａ〜Ｈ  セル
【図１】
0004631233.tif 000002
【図２】
0004631233.tif 000003
【図３】
0004631233.tif 000004
【図４】
0004631233.tif 000005
【図５】
0004631233.tif 000006
【図６】
0004631233.tif 000007
【図７】
0004631233.tif 000008
【図８】
0004631233.tif 000009